(57)【特許請求の範囲】
【請求項１】
複数の第１ヘッダーエリアブロック、複数の第２ヘッダーエリアブロック、及び複数のデータエリアブロックにより、インジケータマトリックスを形成し、前記複数の第１ヘッダーエリアブロック及び前記複数の第２ヘッダーエリアブロックはヘッダーグラフィカルマイクロユニットをそれぞれ具備し、前記複数のデータエリアブロックはデータグラフィカルマイクロユニットをそれぞれ具備するグラフィカルインジケータであって、
前記複数の第２ヘッダーエリアブロックと前記複数のデータエリアブロックはアレイ区域を形成し、前記第１ヘッダーエリアブロックは、前記アレイ区域の一方の側面に設けられ、
前記複数の第２ヘッダーエリアブロックはそれぞれ、隣り合う前記第１ヘッダーエリアブロックの間に位置し、
前記複数の第１ヘッダーエリアブロックの仮想センターは第１仮想線を形成し、前記複数の第２ヘッダーエリアブロックの前記複数の仮想センターは第２仮想線を形成し、前記第１仮想線と前記第２仮想線の間の角度は９０度より小さい、
ことを特徴とするグラフィカルインジケータ。
【請求項２】
前記複数の第２ヘッダーエリアブロック内の前記複数のヘッダーグラフィカルマイクロユニットは、その中の一つが、その所属する前記第２ヘッダーエリアブロックの前記仮想センター、若しくは前記第２ヘッダーエリアブロックの前記仮想センターから離れるように選択的に設けられており、残りの前記ヘッダーグラフィカルマイクロユニットは所属する前記複数の第２ヘッダーエリアブロックの前記仮想センターに位置する、
ことを特徴とする請求項１に記載のグラフィカルインジケータ。
【請求項３】
前記複数のグラフィカルインジケータは併合されてグラフィカルインジケータ構造となり、前記複数の第１ヘッダーエリアブロックと前記複数の第２ヘッダーエリアブロックは、前記グラフィカルインジケータの前記グラフィカルインジケータ構造における配列モデルが、前記グラフィカルインジケータ構造の反転に伴い変更されないとき、それぞれの前記グラフィカルインジケータにおける一つの前記ヘッダーグラフィカルマイクロユニットは、その所属する前記第２ヘッダーエリアブロックの前記仮想センターから離れ、かつ前記仮想センターから離れた前記ヘッダーグラフィカルマイクロユニットが所属する前記第２ヘッダーエリアブロックは、隣り合う２個の前記第１ヘッダーエリアブロックと異なる距離離れており、残りの前記ヘッダーグラフィカルマイクロユニットは、所属する前記複数の第２ヘッダーエリアブロック及び前記複数の第１ヘッダーエリアブロックの前記仮想センターに位置する、
ことを特徴とする請求項２に記載のグラフィカルインジケータ。
【請求項４】
前記複数の第２ヘッダーエリアブロックは、前記アレイ区域に斜めに配列される、
ことを特徴とする請求項１〜３のいずれか一項に記載のグラフィカルインジケータ。
【請求項５】
前記複数の第１ヘッダーエリアブロックは、前記アレイ区域の一方の側に設けられ、前記アレイ区域と前記インジケータマトリックスを形成する、
ことを特徴とする請求項１〜４のいずれか一項に記載のグラフィカルインジケータ。
【請求項６】
それぞれの前記複数のデータグラフィカルマイクロユニットが所属する前記データエリアブロックは、第１仮想エリアブロック、第２仮想エリアブロック、第３仮想エリアブロック、及び第４仮想エリアブロックに分けられ、かつ、前記データグラフィカルマイクロユニットは、前記データエリアブロックの第１仮想エリアブロック、前記第２仮想エリアブロック、前記第３仮想エリアブロック、又は前記第４仮想エリアブロックに選択的に設けられることにより、所属する前記データエリアブロックを一つのビット値に対応させる、
ことを特徴とする請求項１〜５のいずれか一項に記載のグラフィカルインジケータ。
【請求項７】
複数のエリアブロックを含む線状区域を具備し、それぞれの前記複数のエリアブロックはヘッダーグラフィカルマイクロユニットを具備し、
アレイ区域は、前記線状区域とインジケータマトリックスを形成し、前記インジケータマトリックスの寸法はＭ×Ｎであり、ＭとＮは正の整数であり、それぞれ２より大きく、前記アレイ区域は前記線状区域に平行な複数のサブ線状アレイ区域により構成され、それぞれの前記サブ線状アレイ区域は前記複数のエリアブロックを具備し、かつ少なくとも一つの前記ヘッダーグラフィカルマイクロユニット及び複数のデータグラフィカルマイクロユニットを含み、それぞれ配列順序に従って前記サブ線状アレイ区域が具備する前記複数のエリアブロックに設けられ、前記インジケータマトリックス内の全ての前記複数のサブ線状アレイ区域の前記配列順序は完全には一致せず、それぞれの前記データグラフィカルマイクロユニットは、前記サブ線状アレイ区域が具備する前記複数のエリアブロックの複数の仮想エリアブロックの一つに選択的に設けられ、前記複数のヘッダーグラフィカルマイクロユニットはヘッダー情報を表し、前記複数のデータグラフィカルマイクロユニットはインジケータデータを表し、前記ヘッダー情報と前記インジケータデータはグラフィカルインジケータとなり、
前記複数のグラフィカルインジケータは併合されて、グラフィカルインジケータ構造となり、前記複数のデータグラフィカルマイクロユニットは、前記グラフィカルインジケータ構造のそれぞれの列及びそれぞれの行における連続して配列される数はＭ−１及びＮ−１を超えず、それぞれの前記アレイ区域の一つの前記ヘッダーグラフィカルマイクロユニットは、その所属する前記エリアブロックの仮想センター、若しくは、その所属する前記エリアブロックの前記仮想センターから離れた位置に選択的に設けられ、残りの前記ヘッダーグラフィカルマイクロユニットは所属する前記エリアブロックの前記仮想センターに位置する、
ことを特徴とするグラフィカルインジケータ。
【請求項８】
前記複数のヘッダーグラフィカルマイクロユニットが所属する前記複数のエリアブロックは、前記グラフィカルインジケータ構造における配列モデルが、前記グラフィカルインジケータ構造の反転に伴い変更されないとき、それぞれの前記グラフィカルインジケータにおける一つの前記ヘッダーグラフィカルマイクロユニットは、その所属する前記エリアブロックの前記仮想センターから離れ、かつ前記仮想センターから離れた前記ヘッダーグラフィカルマイクロユニットが所属する前記エリアブロックは、隣り合う２個の前記線状区域と異なる距離離れており、残りの前記ヘッダーグラフィカルマイクロユニットは、所属する前記複数のエリアブロックの前記仮想センターに位置する、
ことを特徴とする請求項７記載のグラフィカルインジケータ。
【請求項９】
それぞれの前記アレイ区域において、前記複数のヘッダーグラフィカルマイクロユニットが所属する前記複数のエリアブロックは、前記アレイ区域の斜線上に位置し、前記斜線外のそれぞれのその他の前記複数のエリアブロックは、前記データグラフィカルマイクロユニットを具備する、
ことを特徴とする請求項７又は８に記載のグラフィカルインジケータ。
【請求項１０】
それぞれの前記データグラフィカルマイクロユニットが所属する前記エリアブロックは、第１仮想エリアブロック、第２仮想エリアブロック、第３仮想エリアブロック、及び第４仮想エリアブロックに分けられ、かつ、前記データグラフィカルマイクロユニットは、前記エリアブロックの前記第１仮想エリアブロック、前記第２仮想エリアブロック、前記第３仮想エリアブロック、又は前記第４仮想エリアブロックに選択的に設けられることにより、所属する前記エリアブロックを一つのビット値に対応させる、
ことを特徴とする請求項７〜９のいずれか一項に記載のグラフィカルインジケータ。
【請求項１１】
それぞれの前記データグラフィカルマイクロユニットが所属する前記エリアブロックは、第１仮想エリアブロック、第２仮想エリアブロック、第３仮想エリアブロック、第４仮想エリアブロック、第５仮想エリアブロック、第６仮想エリアブロック、第７仮想エリアブロック、第８仮想エリアブロックに分けられ、かつ、前記データグラフィカルマイクロユニットは、前記エリアブロックの前記第１仮想エリアブロック、前記第２仮想エリアブロック、前記第３仮想エリアブロック、前記第４仮想エリアブロック、前記第５仮想エリアブロック、前記第６仮想エリアブロック、前記第７仮想エリアブロック、前記第８仮想エリアブロックのいずれか一つに選択的に設けられることにより、所属する前記エリアブロックを一つのビット値に対応させる、
ことを特徴とする請求項７〜９のいずれか一項に記載のグラフィカルインジケータ。
【発明の詳細な説明】
【技術分野】
【０００１】
本発明は、パターン／画像認識(pattern/image recognition)に利用される読み取り可能なグラフィカルインジケータに関し、特にこのグラフィカルインジケータはインジケータデータに対応するものである。
【背景技術】
【０００２】
印刷技術及び電子科学技術の進歩に伴い、肉眼で見える文字情報若しくは写真情報においてグラフィカルインジケータの技術が内蔵されており、既に日常生活において広く用いられている。図１Ａは周知技術に基づいて描かれたグラフィカルインジケータとメイン情報が存在する説明図である。図１Ａに示す様に、グラフィカルインジケータ（graphical indicator）１０２は物体表面１００上に形成される。グラフィカルインジケータ１０２は複数のグラフィカルマイクロユニット（graphical micro-units）が組み合わされて形成され、グラフィカルマイクロユニットはとても小さいので、視覚上見落とされ易く、若しくは人の目には下地に解読される。グラフィカルインジケータ１０２とメイン情報（main information）１０４（例えば、図１の文字パターン”ＡＰＰＬＥ”）は、例えば印刷等の方法を利用して、紙等の物体表面１００上に共に形成される。グラフィカルインジケータ１０２は、インジケータデータに対応し、かつ、人の目がメイン情報１０４を受信することに対して影響しないものである。
【０００３】
図１Ｂは周知技術に基づいて示された電子システムのブロック図であり、電子システム１１０は光学装置１１２、処理装置１１４、及び出力装置１１６を備え、画像認識プログラムは、上述したグラフィカルインジケータ１０２の読み取りを行う。光学装置１１２、処理装置１１４、及び出力装置１１６は互いに有線又は無線の方式で接続されている。光学装置１１２は、物体表面１００を読み取り、拡大された映像を取得し、続いて処理装置１１４は拡大された映像の中からグラフィカルインジケータ１０２を読み出してからデジタルデータに変換し、併せて該デジタルデータに対応する追加情報を取得する。最後に、出力装置１１６はこの追加情報を受信して、所定の形式を以ってこの追加情報を出力する。このため、グラフィカルインジケータ１０２の設計により、例えば書物のページ等の通常見かける物体の表面上に更に多くの追加情報を搭載させることが可能となる。
【０００４】
図１Ｃは周知技術に基づいて示されたグラフィカルインジケータの説明図である。図１Ｃに示す様に、一つのグラフィカルインジケータ１０２（点線で囲まれた区域）は、ヘッダー区域２１２及び内容データ区域２１４により所定の規則に基づいて配列して形成される。詳細には、一つのグラフィカルインジケータ１０２のヘッダー区域２１２は、それぞれのグラフィカルインジケータ１０２を区分するための援助をすることができ、内容データ区域２１４はグラフィカルマイクロユニット２１６を利用して異なるインジケータデータを搭載する。更に詳細には、図１Ｃを例にとると、ヘッダー区域２１２内に含まれるヘッダー情報は、電子システム１１０の拡大された映像上がグラフィカルインジケータ１０２に対して配向決め及び位置決めの重要な参考となる。一般的には、ヘッダー区域２１２内のグラフィカルマイクロユニット２１６の数量が、グラフィカルインジケータ１０２内に設けることができるグラフィカルマイクロユニット２１６の総数の高い割合を占めるほど、その搭載されたヘッダー情報がより詳細になることを表し、電子システム１１０はグラフィカルインジケータ１０２に対してより良く配向決め及び位置決めをすることができ、且つ識別することができる。
【先行技術文献】
【特許文献】
【０００５】
【特許文献１】特表２０１３−５２８５３４号公報
【発明の概要】
【発明が解決しようとする課題】
【０００６】
しかし、グラフィカルインジケータ１０２においてヘッダー区域２１２を過度に拡張してヘッダー情報を搭載した場合には、逆にグラフィカルインジケータ１０２がインジケータデータを搭載する能力が低下する。一方、内容データ区域２１４内のグラフィカルマイクロユニットを密集しすぎて配列した場合、若しくは内容データ区域２１４内の部分的なグラフィカルマイクロユニット２１６がヘッダー区域２１２との距離に遠すぎる場合にも、グラフィカルインジケータ１０２の画像識別における識別率を低下させる。このため、どのようなグラフィカルインジケータを作り出すにしても、それはグラフィカルインジケータ１０２内のヘッダー区域２１２が占める割合を過度に拡張せず、かつ内容データ区域２１４内のグラフィカルマイクロユニット２１６を適切にアレンジメントして、画像識別時の識別率を向上させることは、なおも当業者が解決すべき問題の一つである。
【０００７】
上述の事情に鑑みて、本発明は、画像識別をする過程における識別率を向上させることができるグラフィカルインジケータを提供することを目的とする。
【課題を解決するための手段】
【０００８】
これらの問題を解決するため、本発明によるグラフィカルインジケータは、複数の第１ヘッダーエリアブロック、複数の第２ヘッダーエリアブロック、及び複数のデータエリアブロックにより、インジケータマトリックスを形成し、前記複数の第１ヘッダーエリアブロック及び前記複数の第２ヘッダーエリアブロックはヘッダーグラフィカルマイクロユニットをそれぞれ具備し、前記複数のデータエリアブロックはデータグラフィカルマイクロユニットをそれぞれ具備し、前記複数の第２ヘッダーエリアブロックと前記複数のデータエリアブロックはアレイ区域を形成し、前記複数の第１ヘッダーエリアブロックの仮想センターは第１仮想線を形成し、前記複数の第２ヘッダーエリアブロックの仮想センターは第２仮想線を形成し、前記第１仮想線と前記第２仮想線の間の角度は９０度より小さい。
【０００９】
また、前記複数の第２ヘッダーエリアブロック内の前記複数のヘッダーグラフィカルマイクロユニットは、その中の一つが、その所属する前記第２ヘッダーエリアブロックの前記仮想センター、若しくは前記第２ヘッダーエリアブロックの前記仮想センターから離れるように選択的に設けられており、残りの前記ヘッダーグラフィカルマイクロユニットは所属する前記複数の第２ヘッダーエリアブロックの前記仮想センターに位置する。
【００１０】
また、前記複数のグラフィカルインジケータは併合されてグラフィカルインジケータ構造となり、前記複数の第１ヘッダーエリアブロックと前記複数の第２ヘッダーエリアブロックは、前記グラフィカルインジケータの前記グラフィカルインジケータ構造における配列モデルが、前記グラフィカルインジケータ構造の反転に伴い変更されないとき、それぞれの前記グラフィカルインジケータにおける一つの前記ヘッダーグラフィカルマイクロユニットは、その所属する前記第２ヘッダーエリアブロックの前記仮想センターから離れ、かつ前記仮想センターから離れた前記ヘッダーグラフィカルマイクロユニットが所属する前記第２ヘッダーエリアブロックは、隣り合う２個の前記第１ヘッダーエリアブロックと異なる距離離れており、残りの前記ヘッダーグラフィカルマイクロユニットは、所属する前記複数の第２ヘッダーエリアブロック及び前記複数の第１エリアブロックの前記仮想センターに位置する。
【００１１】
更に、前記複数の第２ヘッダーエリアブロックは、前記アレイ区域に斜めに配列される。
【００１２】
また、前記複数の第１ヘッダーエリアブロックは、前記アレイ区域の一方の側に設けられ、前記アレイ区域と前記インジケータマトリックスを形成する。
【００１３】
また、それぞれの前記複数のデータグラフィカルマイクロユニットが所属する前記データエリアブロックは、第１仮想エリアブロック、第２仮想エリアブロック、第３仮想エリアブロック、及び第４仮想エリアブロックに分けられ、かつ、前記データグラフィカルマイクロユニットは、前記データエリアブロックの第１仮想エリアブロック、前記第２仮想エリアブロック、前記第３仮想エリアブロック、又は前記第４仮想エリアブロックに選択的に設けられることにより、所属する前記データエリアブロックを一つのビット値に対応させる。
【００１４】
本発明によるグラフィカルインジケータは、
複数のエリアブロックを含む線状区域を具備し、前記複数のエリアブロックはヘッダーグラフィカルマイクロユニットを具備し、アレイ区域は、前記線状区域とインジケータマトリックスを形成し、前記インジケータマトリックスの寸法はＭ×Ｎであり、ＭとＮは正の整数であり、それぞれ２より大きく、前記アレイ区域は前記線状区域に平行な複数のサブ線状アレイ区域により構成され、それぞれの前記サブ線状アレイ区域は前記複数のエリアブロックを具備し、かつ少なくとも一つの前記ヘッダーグラフィカルマイクロユニット及び複数のデータグラフィカルマイクロユニットを含み、それぞれ配列順序に従って前記エリアブロックに設けられ、前記インジケータマトリックス内の全ての前記複数のサブ線状アレイ区域の前記配列順序は完全には一致せず、それぞれの前記データグラフィカルマイクロユニットは、前記エリアブロックの複数の仮想エリアブロックの一つに選択的に設けられ、前記複数のヘッダーグラフィカルマイクロユニットはヘッダー情報を表し、前記複数のデータグラフィカルマイクロユニットはインジケータデータを表し、前記複数のグラフィカルインジケータは併合されて、グラフィカルインジケータ構造となり、前記複数のデータグラフィカルマイクロユニットは、前記グラフィカルインジケータ構造のそれぞれの列及びそれぞれの行における連続して配列される数はＭ−１及びＮ−１を超えず、それぞれの前記アレイ区域の一つの前記ヘッダーグラフィカルマイクロユニットは、その所属する前記エリアブロックの仮想センター、若しくは、その所属する前記エリアブロックの前記仮想センターから離れた位置に選択的に設けられ、残りの前記ヘッダーグラフィカルマイクロユニットは所属する前記エリアブロックの前記仮想センターに位置する。
【００１５】
更に、前記複数のヘッダーグラフィカルマイクロユニットが所属する前記複数のエリアブロックは、前記グラフィカルインジケータ構造における配列モデルが、前記グラフィカルインジケータ構造の反転に伴い変更されないとき、それぞれの前記グラフィカルインジケータにおける一つの前記ヘッダーグラフィカルマイクロユニットは、その所属する前記エリアブロックの前記仮想センターから離れ、かつ前記仮想センターから離れた前記ヘッダーグラフィカルマイクロユニットが所属する前記エリアブロックは、隣り合う２個の前記線状区域と異なる距離離れており、残りの前記ヘッダーグラフィカルマイクロユニットは、所属する前記複数のエリアブロックの前記仮想センターに位置する。
【００１６】
それぞれの前記アレイ区域において、前記複数のヘッダーグラフィカルマイクロユニットが所属する前記複数のエリアブロックは、前記アレイ区域の斜線上に位置し、前記斜線外のそれぞれのその他の前記複数のエリアブロックは、前記データグラフィカルマイクロユニットを具備する。
【００１７】
それぞれの前記データグラフィカルマイクロユニットが所属する前記エリアブロックは、第１仮想エリアブロック、第２仮想エリアブロック、第３仮想エリアブロック、及び第４仮想エリアブロックに分けられ、かつ、前記データグラフィカルマイクロユニットは、前記エリアブロックの前記第１仮想エリアブロック、前記第２仮想エリアブロック、前記第３仮想エリアブロック、又は前記第４仮想エリアブロックに選択的に設けられることにより、所属する前記エリアブロックを一つのビット値に対応させる。
【００１８】
それぞれの前記データグラフィカルマイクロユニットが所属する前記エリアブロックは、第１仮想エリアブロック、第２仮想エリアブロック、第３仮想エリアブロック、第４仮想エリアブロック、第５仮想エリアブロック、第６仮想エリアブロック、第７仮想エリアブロック、第８仮想エリアブロックに分けられ、かつ、前記データグラフィカルマイクロユニットは、前記エリアブロックの前記第１仮想エリアブロック、前記第２仮想エリアブロック、前記第３仮想エリアブロック、前記第４仮想エリアブロック、前記第５仮想エリアブロック、前記第６仮想エリアブロック、前記第７仮想エリアブロック、前記第８仮想エリアブロックのいずれか一つに選択的に設けられることにより、所属する前記エリアブロックを一つのビット値に対応させる。
【発明の効果】
【００１９】
上述の事情に鑑みて、本発明においてはグラフィカルインジケータはインジケータマトリックスであり、かつ複数のヘッダーグラフィカルマイクロユニットと複数のデータグラフィカルマイクロユニットを備える。インジケータマトリックスにおいてヘッダーグラフィカルマイクロユニット及びデータグラフィカルマイクロユニットを精確に設置することにより、グラフィカルインジケータを画像識別させるとき、優れた識別率にすることができる。
【図面の簡単な説明】
【００２０】
【図１Ａ】周知技術に基づいて描かれたグラフィカルインジケータとメイン情報が共に存在する説明図である。
【図１Ｂ】周知技術に基づいて示された電子システムのブロック図である。
【図１Ｃ】周知技術に基づいて示されたグラフィカルインジケータの説明図である。
【図２Ａ】本発明の一実施例に基づいて示されたグラフィカルインジケータの説明図である。
【図２Ｂ】本発明の一実施例に基づいて示されたデータエリアブロックの説明図である。
【図２Ｃ】本発明の一実施例に基づいて示されたグラフィカルインジケータ構造の説明図である。
【図３Ａ】本発明の別の実施例に基づいて示されたグラフィカルインジケータの説明図である。
【図３Ｂ】本発明の別の実施例に基づいて示されたグラフィカルインジケータ構造の説明図である。
【図４Ａ】本発明の別の実施例に基づいて示されたグラフィカルインジケータの説明図である。
【図４Ｂ】本発明の別の実施例に基づいて示したグラフィカルインジケータ構造の説明図である。
【図４Ｃ】本発明の別の実施例に基づいて示したグラフィカルインジケータ構造の説明図である。
【図５Ａ】本発明の別の実施例に基づいて示されたグラフィカルインジケータの説明図である。
【図５Ｂ】本発明の別の実施例に基づいて示されたデータエリアブロックの説明図である。
【図６Ａ】本発明の別の実施例に基づいて示されたグラフィカルインジケータの説明図である。
【図６Ｂ】本発明の別の実施例に基づいて示されたデータエリアブロックの説明図である。
【図６Ｃ】本発明の別の実施例に基づいて示されたグラフィカルインジケータの説明図である。
【図７】本発明の別の実施例に基づいて示されたグラフィカルインジケータの説明図である。
【発明を実施するための形態】
【００２１】
本発明の上述した特徴と利点を更に明確化して分かり易くするため、以下実施例を挙げて、図面と共に詳細な内容を説明する。
【００２２】
図２Ａは本発明の一実施例に基づいて示されたグラフィカルインジケータの説明図である。図２Ａを参照すると、本実施例において、グラフィカルインジケータ２０は線状区域２２０とアレイ区域２４０を含む。線状区域２２０は複数のエリアブロック２６０Ａを含み、かつそれぞれのエリアブロック２６０Ａは一つのヘッダーグラフィカルマイクロユニットＡを具備する。アレイ区域２４０と線状区域２２０は、エリアブロック２６０Ａと２６０Ｂを具備してインジケータマトリックス２８０を形成し、かつインジケータマトリックス２８０の寸法はＭ×Ｎであり、ＭとＮは正の整数でありそれぞれ２より大きい。本実施例において、Ｍは５であり、Ｎは４であるが、本発明はこれらに限られるものではない。アレイ区域２４０は線状区域２２０に平行な複数のサブ線状アレイ区域２４２によって構成され、それぞれのサブ線状アレイ区域２４２は複数のエリアブロック２６０Ａと２６０Ｂを具備し、かつ少なくとも一つのヘッダーグラフィカルマイクロユニットＡ及び複数のデータグラフィカルマイクロユニットＢを含み、これらは配列順序に従って前記エリアブロック２６０Ａと２６０Ｂに配置される。それぞれのデータグラフィカルマイクロユニットＢはエリアブロック２６０Ｂの複数の仮想エリアブロック２６２の一つに選択的にそれぞれ設けられ、かつヘッダーグラフィカルマイクロユニットＡはヘッダー情報を表し、データグラフィカルマイクロユニットＢはインジケータデータを表す。注意すべきは、インジケータマトリックス２８０内の全てのサブ線状アレイ区域２４２の配列順序は完全には一致しない。
【００２３】
詳細には、エリアブロック２６０Ａと２６０Ｂにおいては皆一つのヘッダーグラフィカルマイクロユニットＡ若しくはデータグラフィカルマイクロユニットＢをそれぞれ備える。図２Ａでは、エリアブロック２６０Ｂにおいて複数のデータグラフィカルマイクロユニットＢが示されているが、データグラフィカルマイクロユニットＢの可能なレイアウト位置を表すために用いられるのみであり、単一のエリアブロック２６０Ｂが複数のデータグラフィカルマイクロユニットＢを具備することを示すためのものではない。複数のエリアブロック２６０ＢはデータグラフィカルマイクロユニットＢのその内部のレイアウト位置により、対応する一組のビット値として表され、エリアブロック２６０ＡはヘッダーグラフィカルマイクロユニットＡによりヘッダー情報を現す。グラフィカルインジケータ２０に対して画像識別を行うとき、ヘッダー情報は、図１Ｂにおける電子システム１１０が位置決め及び配向決めを行う支援ができる。一つのヘッダーグラフィカルマイクロユニットＡ’は、その所属するエリアブロック２６０Ａの仮想センターＰ若しくはエリアブロック２６０Ａの仮想センターＰから離れた位置に選択的に設けられ、電子システム１１０が位置決め及び配向決めを行う更に良い支援ができる。
【００２４】
図２Ｂは本発明の一実施例に基づいて示されたデータエリアブロックの説明図である。図２Ａと図２Ｂを参照すると、本実施例において、それぞれのエリアブロック２６０Ｂは、更に第１仮想エリアブロック２６２Ａ、第２仮想エリアブロック２６２Ｂ、第３仮想エリアブロック２６２Ｃ、及び第４仮想エリアブロック２６２Ｄに分割される。データグラフィカルマイクロユニットＢは、エリアブロック２６０Ｂの第１仮想エリアブロック２６２Ａ、第２仮想エリアブロック２６２Ｂ、第３仮想エリアブロック２６２Ｃ、及び第４仮想エリアブロック２６２Ｄに選択的に設けられ、それによりエリアブロック２６０Ｂをビット値００、０１、１０、若しくは１１に対応させる。具体的には、図２Ｂにおける実施例、即ちエリアブロック２６０Ｂは、データグラフィカルマイクロユニットＢ及び仮想センターＰの相対位置に基づいて、それぞれが異なるビット値として表され、グラフィカルインジケータ２０内の全てのエリアブロック２６０Ｂに代表されるビット値は、組み合わされることにより、グラフィカルインジケータ２０のインジケータデータを得ることが可能となる。
【００２５】
再び図２Ａを参照すると、本実施例において、グラフィカルインジケータ２０は５行４列（Ｍ＝５、Ｎ＝４）のインジケータマトリックス２８０である。換言すると、ＭとＮは正の整数でありそれぞれ３以上である。インジケータマトリックス２８０は、線状区域２２０とアレイ区域２４０から構成され、アレイ区域２４０は、線状区域２２０に平行な複数のサブ線状アレイ区域２４２により構成される。線状区域２２０は４個のエリアブロック２６０Ａを具備し、サブ線状アレイ区域２４２は１個のエリアブロック２６０Ａ及び３個のエリアブロック２６０Ｂを具備し、かつヘッダーグラフィカルマイクロユニットＡ及び複数のデータグラフィカルマイクロユニットＢは、それぞれ配列順序に基づいて、エリアブロック２６０Ａ及びエリアブロック２６０Ｂ内に設けられる。図２Ａにおいて、グラフィカルインジケータ２０内の全てのサブ線状アレイ区域２４２の配列順序は完全に一致するわけではない。詳細には、アレイ区域２４０において、ヘッダーグラフィカルマイクロユニットＡが所属するエリアブロック２６０Ａは、アレイ区域２４０の斜線上に位置し、斜線外となるその他のエリアブロック２６０ＢはデータグラフィカルマイクロユニットＢを具備する。なお、本実施例においては、上述した斜線はアレイ区域２４０の対角線である。このため、グラフィカルインジケータ２０において、少なくとも８（すなわちＭ＋Ｎ−１）個のヘッダーグラフィカルマイクロユニットＡを含む。
【００２６】
図２Ｃは本発明の一実施例に基づいて示されたグラフィカルインジケータ構造の説明図である。図２Ａ〜図２Ｃを参照すると、グラフィカルインジケータ構造Ｉは、複数のグラフィカルインジケータ２０が併合されることによって形成されるものである。複数のグラフィカルインジケータ２０は、併合されてグラフィカルインジケータ構造Ｉとなり、データグラフィカルマイクロユニットＢはグラフィカルインジケータ構造Ｉのそれぞれの列、並びにそれぞれの行において連続して配列される数は３個を超えない（すなわちＭ−１＝４及びＮ−１＝３を超えない）。このため、グラフィカルインジケータ構造Ｉで画像識別を行う時、電子システム（例えば、図１に記載した電子システム１１０でも差し支えない。）は、拡大された映像を獲得した後、グラフィカルインジケータ構造Ｉにおける複数のヘッダーグラフィカルマイクロユニットＡを容易に利用して位置決め若しくは配向決めを行い、大幅にグラフィカルインジケータ構造Ｉに対する識別率を高めることができる。
【００２７】
詳細には、図２Ａ〜図２Ｃを参照すると、線状区域２２０内に設けられたヘッダーグラフィカルマイクロユニットＡのエリアブロック２６０Ａを全て第１ヘッダーエリアブロックとみなし、アレイ区域２４０内に設けられたヘッダーグラフィカルマイクロユニットＡ、或いはＡ’のエリアブロック２６０Ａを全て第２ヘッダーエリアブロックとみなすと、第１ヘッダーエリアブロックは、アレイ区域２４０の一方の側面に設けられることとなり、かつインジケータマトリックス２８０の線状区域２２０に横向きに配列され、第２ヘッダーエリアブロックはインジケータマトリックス２８０のアレイ区域２４０に斜めに配列される。明確には、第１ヘッダーエリアブロックの仮想センターＰが形成する第１仮想線Ｋ１と第２ヘッダーエリアブロックの仮想センターＰが形成する第２仮想線Ｋ２の間に所定の角度を呈し、かつ前記所定の角度は９０より小さい（図２Ｃ参照）。
【００２８】
注意すべきは、図２Ｃにおけるグラフィカルインジケータ構造Ｉが反転するか否かに拘わらず、ヘッダーグラフィカルマイクロユニットＡが所属する複数のエリアブロック２６０Ａは全て配列されて複数の「Ｚ」字型を呈する。換言すると、ヘッダーグラフィカルマイクロユニットＡが所属する複数のエリアブロック２６０Ａは、グラフィカルインジケータ構造Ｉを反転させたときでも、その配列モデルは依然として不変である。上述したグラフィカルインジケータ構造Ｉに対し、電子システム１１０は、グラフィカルインジケータ構造Ｉが反転された状況下で識別を行い、インジケータデータを読み取ると、ヘッダーグラフィカルマイクロユニットＡを利用して正確な位置決め若しくは正確な配向決めを行うことができず、識別を失敗する。
【００２９】
上述した問題を解決するため、このとき、それぞれのアレイ区域２４０内の一つのヘッダーグラフィカルマイクロユニットＡ’は、その所属するエリアブロック２６０Ａの仮想センターＰから離れている。図２Ａ〜２Ｃにおいて、エリアブロック２６０Ａにおいて複数のヘッダーグラフィカルマイクロユニットＡ’を示したが、ヘッダーグラフィカルマイクロユニットＡ’の可能なレイアウト位置を表すために用いられるのみであり、単一のエリアブロック２６０Ａが複数のヘッダーグラフィカルマイクロユニットＡ’を具備することを示すものではない。上述のヘッダーグラフィカルマイクロユニットＡ’が所属するエリアブロック２６０Ａと隣接する二つの線状区域２２０との距離は等しくなく（すなわち、Ｌ１とＬ２の距離は等しくない。）、その他のヘッダーグラフィカルマイクロユニットＡは所属するエリアブロック２６０Ａの仮想センターＰに位置する。このように、一つのヘッダーグラフィカルマイクロユニットＡ’をシフトすることにより、電子システム１１０は、ヘッダーグラフィカルマイクロユニットＡ’と隣り合う線状区域２２０内の複数のヘッダーグラフィカルマイクロユニットＡの相対位置関係を判断することが可能となり、グラフィカルインジケータ構造Ｉについて配向決めを更に行うことができる。本実施例において、仮想センターＰのヘッダーグラフィカルマイクロユニットＡ’が所属するエリアブロック２６０Ａの距離は、隣り合う線状区域２２０（若しくは隣り合う線状区域２２０のエリアブロック２６０Ａ）との距離は等しくない。特に、ヘッダーグラフィカルマイクロユニットＡ、若しくはヘッダーグラフィカルマイクロユニットＡ’が所属する複数のエリアブロック２６０Ａは、グラフィカルインジケータ構造Ｉを反転させたとき、その配列モデルも相対的に改変され、アレイ区域２４０内の一つのヘッダーグラフィカルマイクロユニットＡ’は、その所属するエリアブロック２６０Ａの仮想センターＰ、若しくはその所属するエリアブロック２６０Ａの仮想センターＰから離れた位置に選択的に設けることができるものである。
【００３０】
再び図２Ａを参照すると、本発明の他の実施例において、エリアブロック２６０Ａは、仮想センターＰから離れたヘッダーグラフィカルマイクロユニットＡ’を具備するとき、上述したエリアブロック２６０Ａは、一つのビット値に対応することもできる。更に詳細には、グラフィカルインジケータ２０に対して画像識別を行うとき、電子システム１１０は、エリアブロック２６０ＡのヘッダーグラフィカルマイクロユニットＡ’と仮想センターＰの相対的な位置関係に基づいて、エリアブロック２６０Ａが表すビット値を更に計算することができる。換言すると、エリアブロック２６０ＡにおけるヘッダーグラフィカルマイクロユニットＡ’を利用して、グラフィカルインジケータ２０のインジケータデータの搭載量を更に向上させることができる。注意すべきは、グラフィカルインジケータ構造Ｉが、仮想センターＰのヘッダーグラフィカルマイクロユニットＡ’をシフトすることにより配向を補助する必要がない場合であっても、ヘッダーグラフィカルマイクロユニットＡ’は、依然として、グラフィカルインジケータ２０のインジケータデータの搭載量を向上させることができる。
【００３１】
図３Ａは本発明の別の実施例に基づいて示されたグラフィカルインジケータの説明図である。また、図３Ｂは本発明の別の実施例に基づいて示されたグラフィカルインジケータ構造の説明図である。図３Ａと図３Ｂを参照すると、本実施例において、グラフィカルインジケータ２０Ａは４列、４行（Ｍ＝４、Ｎ＝４）のインジケータマトリックス２８０である。同様に、グラフィカルインジケータ２０Ａのインジケータマトリックス２８０は、線状区域２２０及びアレイ区域２４０により構成され、アレイ区域２４０は線状区域２２０に平行な複数のサブ線状区域２４２によって構成される。線状区域２２０は４個のヘッダーグラフィカルマイクロユニットＡを具備し、サブ線状アレイ区域２４２は１つのヘッダーグラフィカルマイクロユニットＡ及び３個のデータグラフィカルマイクロユニットＢを具備し、それぞれ配列順序に基づいて、複数のエリアブロック２６０Ａ及び２６０Ｂの中に設けられる。グラフィカルインジケータ２０Ａ内の全てのサブ線状アレイ区域２４２の配列順序は完全に一致するわけではない。更に詳細には、アレイ区域２４０において、ヘッダーグラフィカルマイクロユニットＡが所属するエリアブロック２６０Ａはアレイ区域２４０の斜線上に位置し、斜線外のそれぞれのその他のエリアブロック２６０ＢはデータグラフィカルマイクロユニットＢを具備する。なお、本発明の実施例において、斜線上の一つのエリアブロック２６０Ａは線状区域２２０と隣り合う。このため、グラフィカルインジケータ２０Ａにおいて、少なくとも７個（Ｍ＋Ｎ−１）のヘッダーグラフィカルマイクロユニットＡを具備する。
【００３２】
同様に図２Ａ〜図２Ｃにおけるグラフィカルインジケータ２０は、グラフィカルインジケータ２０の線状区域２２０内のエリアブロック２６０Ａを全て第１ヘッダーエリアブロックとみなし、アレイ区域２４０内に設けられたヘッダーグラフィカルマイクロユニットＡ、Ａ’のエリアブロック２６０Ａを全て第２ヘッダーブロックとみなした場合には、第１ヘッダーエリアブロックはインジケータマトリックス２８０の線状区域２２０に横向きに配列され、第２ヘッダーエリアブロックはインジケータマトリックス２８０のアレイ区域２４０に斜めに配列される。このとき、第１ヘッダーエリアブロックの仮想センターＰが形成する第１仮想線と第２ヘッダーエリアブロックの仮想センターＰが形成する第２仮想線の間に角度を呈し、上述した角度は９０度より小さい（図３Ｂ参照）。グラフィカルインジケータ２０と異なるところは、グラフィカルインジケータ２０Ａの第２ヘッダーエリアブロックは、アレイ区域２４０の対角線上に配列されないことである。
【００３３】
図３Ｂから分かるように、グラフィカルインジケータ構造ＩＡにおいて、データグラフィカルマイクロユニットＢは、グラフィカルインジケータ構造ＩＡのそれぞれの列とそれぞれの行において連続して配列された数となり、以前と同様に必ず３以下を維持する（即ち、Ｍ−１＝Ｎ−１＝３）。また、図２Ｃと同様に、グラフィカルインジケータ構造ＩＡを反転させたときでも、ヘッダーグラフィカルマイクロユニットＡが所属する複数のエリアブロック２６０Ａは全て同様の配列モデルを呈する。このため、それぞれのアレイ区域２４０内の一つのヘッダーグラフィカルマイクロユニットＡ’は、その所属するエリアブロック２６０Ａの仮想センターＰから離れ、電子システム１１０Ａに、エリアブロック２６０Ａと隣接する線状区域２２０の相対的な位置関係を識別時に判断させることができるので、グラフィカルインジケータ構造ＩＡについて配向を更に行うことができる。
【００３４】
グラフィカルインジケータの設計形式は、これら図２Ａ〜２Ｃ及び図３Ａ〜３Ｂの実施例に決して限られず、その他の設計形式でも差し支えない。図４Ａは本発明の別の実施例に基づいて示されたグラフィカルインジケータの説明図である。本発明の図４Ｂと図４Ｃは本発明の別の実施例に基づいて示したグラフィカルインジケータ構造の説明図である。図２Ａにおけるグラフィカルインジケータ２０と比較すると、図４Ａにおけるグラフィカルインジケータ２０Ｂは、その３個のサブ線状アレイ区域２４２において、２個のサブ線状アレイ区域２４２のヘッダーグラフィカルマイクロユニットＡとデータグラフィカルマイクロユニットＢの配列順序が一致する。また、その他の１つのサブ線状アレイ区域２４２は、ヘッダーグラフィカルマイクロユニットＡとデータグラフィカルマイクロユニットＢの配列順序が異なる。明らかに、アレイ区域２４０において、ヘッダーグラフィカルマイクロユニットＡが所属するエリアブロック２６０Ａの散布された位置は、アレイ区域２４０上の斜めに渡る直線となることはない。図４Ｂと図４Ｃを参照すると、上述したグラフィカルインジケータＩ、ＩＡと異なるところは、ヘッダーグラフィカルマイクロユニットＡが所属するエリアブロック２６０Ａが、グラフィカルインジケータ構造ＩＢの反転させる前の位置（図４Ｂ）と反転させたときの位置（図４Ｃ）に呈する配列モデルが同様とならないことである。このような状況では、アレイ区域２４０内のヘッダーグラフィカルマイクロユニットＡはシフトさせる必要は必ずしもなく、電子システム１１０は、グラフィカルインジケータ２０ＢのヘッダーグラフィカルマイクロユニットＡを直接介して位置決め及び配向を行うことができる。
【００３５】
異なるデータグラフィカルマイクロユニットＢを介して設計を行うことにより、グラフィカルインジケータのインジケータデータの搭載量も同様に、効率的に高めることができる。図５Ａは本発明の別の実施例に基づいて示されたグラフィカルインジケータの説明図である。また、図５Ｂは本発明の別の実施例に基づいて示されたデータエリアブロックの説明図である。図５Ａと図４Ｂを参照すると、グラフィカルインジケータ３０は、ヘッダーグラフィカルマイクロユニットＡとデータグラフィカルマイクロユニットＢを具備し、エリアブロック３６０Ａとエリアブロック３６０Ｂの中にそれぞれ設けられる。データグラフィカルマイクロユニットＢは、エリアブロック３６０Ｂの複数の仮想エリアブロック３６２の一つに選択的に設けられる。上述した実施例と異なるところは、それぞれのエリアブロック３６０Ｂは、第１仮想エリアブロック３６２Ａ、第２仮想エリアブロック３６２Ｂ、第３仮想エリアブロック３６２Ｃ、第４仮想エリアブロック３６２Ｄ、第５仮想エリアブロック３６２Ｅ、第６仮想エリアブロック３６２Ｆ、第７仮想エリアブロック３６２Ｇ、及び第８仮想エリアブロック３６２Ｈに更に分けられることである。換言すると、データグラフィカルマイクロユニットＢは選択可能な位置に設けられており、例えば円状に仮想センターＰを囲むように配置される。データグラフィカルマイクロユニットＢは、エリアブロック３６０Ｂの第１仮想エリアブロック３６２Ａ、第２仮想エリアブロック３６２Ｂ、第３仮想エリアブロック３６２Ｃ、第４仮想エリアブロック３６２Ｄ、第５仮想エリアブロック３６２Ｅ、第６仮想エリアブロック３６２Ｆ、第７仮想エリアブロック３６２Ｇ、及び第８仮想エリアブロック３６２Ｈのいずれか一つに選択的に設けられ、エリアブロック３６０Ｂを、ビット値０００、００１、０１０、０１１、１００、１０１、１１０又は１１１のいずれか一つに対応させる。
【００３６】
詳細には、エリアブロック３６０Ｂの設計は、依然として、データグラフィカルマイクロユニットＢと仮想センターＰの相対的な位置関係を利用することにより、エリアブロック３６０Ｂに表されるビット値が表示される。しかし、本実施例においては、ビット値の有効ビット数は、図２Ｂの実施例におけるビット値よりも１桁多くなる。換言すると、グラフィカルインジケータ３０におけるエリアブロック３６０Ｂの密度を増加させずとも、グラフィカルインジケータ３０のインジケータデータ搭載量を有効に高めることができる。
【００３７】
図６Ａは本発明の別の実施例に基づいて示されたグラフィカルインジケータの説明図である。また、図６Ｂは本発明の別の実施例に基づいて示されたデータエリアブロックの説明図である。図６Ａと図６Ｂを参照すると、グラフィカルインジケータ４０のエリアブロック４６０Ｂとエリアブロック４６０Ｂ’は、全て第１仮想エリアブロック４６２Ａ、第２仮想エリアブロック４６２Ｂ、第３仮想エリアブロック４６２Ｃ、及び第４仮想エリアブロック４６２Ｄに分けられる。しかし、エリアブロック４６０Ｂ’からみれば、エリアブロック４６０Ｂ’は、データグラフィカルマイクロユニットＢとその所属するエリアブロック４６０Ｂ’の仮想センターＰとの間の距離と、データグラフィカルマイクロユニットＢが所属する仮想エリアブロック４６２Ａ〜４６２Ｄに基づいてビット値が対応する。図６を例にとると、たとえデータグラフィカルマイクロユニットＢが全て第１仮想エリアブロック４６２Ａに設けられたとしても、データグラフィカルマイクロユニットＢと仮想センターＰの遠近関係は、なおもエリアブロック４６０Ｂ’にビットデータ０００と００１をそれぞれ表させることができる。注意すべきは、エリアブロック４６０Ｂ’内のデータグラフィカルマイクロユニットＢは、エリアブロック４６０Ｂ’の縁の比較的近くの位置に設けられる可能性があり、連続する二つのエリアブロック４６０Ｂ’が同一列上に設けられて、データグラフィカルマイクロユニットＢが、エリアブロック４６０Ｂ’の縁に近づくことにより、隣り合うエリアブロック４６０Ｂ’に誤って帰属されてしまう問題を回避するため、エリアブロック４６０Ｂとエリアブロック４６０Ｂ’は交互に配置することが必須となる。図６Ｃは本発明の別の実施例に基づいて示されたグラフィカルインジケータの説明図である。図６Ａと同様に、グラフィカルインジケータ４０’において、それぞれのエリアブロック列上に交互に配置されたエリアブロック４６０Ｂとエリアブロック４６０Ｂ’を含む。グラフィカルインジケータ４０’とグラフィカルインジケータ４０の主な差異はヘッダーグラフィカルマイクロユニットの設置方法にある。
【００３８】
図７は本発明の別の実施例に基づいて示されたグラフィカルインジケータの説明図である。図７を参照すると、図２Ａの実施例と比較して、グラフィカルインジケータ７０は同様に４行４列（Ｍ＝４、Ｎ＝４）のインジケータマトリックス７８０であるが、インジケータマトリックス７８０における線状区域７２０と複数のサブ線状アレイ区域７４２は、線状区域２２０と複数のサブ線状アレイ区域２４２と配列方向において異なる。これらのことを除き、グラフィカルインジケータ７０のその他の詳細な設定は、上述したグラフィカルインジケータ２０、２０Ａ〜２０Ｂ、３０、４０、４０’の詳細な説明を参照するものとし、説明を省略する。
【００３９】
以上のように、本発明において、グラフィカルインジケータはインジケータマトリックスであり、且つ複数のヘッダーグラフィカルマイクロユニットと複数のデータグラフィカルマイクロユニットを含む。インジケータマトリックスにおいてヘッダーグラフィカルマイクロユニットとデータグラフィカルマイクロユニットを精確に設けることにより、グラフィカルインジケータが画像識別を行うとき、より良い識別率を具備する。
【産業上の利用可能性】
【００４０】
本発明は以上のように説明したが、これらは本発明を限定するためのものではなく、当業者が本発明の精神と範囲内を逸脱しない限り、多少の修正及び変更をすることが可能であることから、本発明の保護範囲は均等の範囲にも及ぶものとする。
【００４１】
日常生活において、グラフィカルインジケータとメイン情報は紙等の物体の表面上に共に形成される。例えば、肉眼で見える文字情報や画像情報における隠されたグラフィカルインジケータである。グラフィカルインジケータはインジケータデータに対応して、メイン情報を取得することに対して人の目に影響を与えない。しかし、特定の電子システムを利用して、グラフィカルインジケータの対応するインジケータデータを出力することができる。このため、例えば、紙や書物の頁等の通常みかける物体表面上に更に多くの追加情報を搭載することができる。
【符号の説明】
【００４２】
１００  物体表面
１０４  メイン情報
１１０  電子システム
１１２  光学装置
１１４  処理装置
１１６  出力装置
２１２  ヘッダー区域
２１４  内容データ区域
２１６  グラフィカルマイクロユニット
２０、２０Ａ、２０Ｂ、３０、４０、４０’、７０、１０２  グラフィカルインジケータ
Ｉ、ＩＡ、ＩＢ  グラフィカルインジケータ構造
Ｌ１、Ｌ２  距離
２２０、７２０  線状区域
２４０  アレイ区域
２４２  サブ線状アレイ区域
２６０Ａ、２６０Ｂ、３６０Ａ、３６０Ｂ、４６０Ｂ、４６０Ｂ’  エリアブロック
２８０、７８０  インジケータマトリックス
２６２、３６２  仮想エリアブロック
２６２Ａ、３６２Ａ、４６２Ａ  第１仮想エリアブロック
２６２Ｂ、３６２Ｂ、４６２Ｃ  第２仮想エリアブロック
２６２Ｃ、３６２Ｃ、４６２Ｃ  第３仮想エリアブロック
２６２Ｄ、３６２Ｄ、４６２Ｄ  第４仮想エリアブロック
３６２Ｅ  第５仮想エリアブロック
３６２Ｆ  第６仮想エリアブロック
３６２Ｇ  第７仮想エリアブロック
３６２Ｈ  第８仮想エリアブロック
Ａ、Ａ’  ヘッダーグラフィカルマイクロユニット
Ｂ  データグラフィカルマイクロユニット
Ｐ  仮想センター
【図１Ａ】
0005899291.tif 000002
【図１Ｂ】
0005899291.tif 000003
【図１Ｃ】
0005899291.tif 000004
【図２Ａ】
0005899291.tif 000005
【図２Ｂ】
0005899291.tif 000006
【図２Ｃ】
0005899291.tif 000007
【図３Ａ】
0005899291.tif 000008
【図３Ｂ】
0005899291.tif 000009
【図４Ａ】
0005899291.tif 000010
【図４Ｂ】
0005899291.tif 000011
【図４Ｃ】
0005899291.tif 000012
【図５Ａ】
0005899291.tif 000013
【図５Ｂ】
0005899291.tif 000014
【図６Ａ】
0005899291.tif 000015
【図６Ｂ】
0005899291.tif 000016
【図６Ｃ】
0005899291.tif 000017
【図７】
0005899291.tif 000018